(57)【要約】【課題】録画するための記録部が一杯の状態となったときには、不要な画像から順次、自動的に削除して記録部を有効的に使用するインターホン装置を提供する。【解決手段】玄関子機と居室親機とで構成されるインターホン装置において、居室親機は、子機カメラで撮像された画像を記録する記録手段と、撮像画像と予め記録されている背景画像との変化量を撮像画像に付す変化量算出手段と、所定以上の撮像画像が記録された場合、変化量算出手段にて変化量が最も小さいと算出された撮像画像を削除する画像削除手段を備えたことを特徴とする。【選択図】図１
2011014950.tif 000002
【特許請求の範囲】
【請求項１】
来訪者及び玄関周辺の画像を撮像する子機カメラ及び通話をおこなう子機音響部を有する玄関子機と、前記玄関子機からの画像を出力するモニタ及び前記子機音響部と通話をおこなう親機音響部を有した居室親機とで構成されるインターホン装置において、
前記居室親機は、前記子機カメラで撮像された画像を記録する記録部と、前記撮像画像と予め記録されている背景画像との変化量を前記撮像画像に付す変化量算出部と、所定以上の撮像画像が記録された場合、前記変化量算出部にて変化量が最も小さいと算出された撮像画像を削除するよう制御する親機ＣＰＵを備えたことを特徴とするインターホン装置。
【請求項２】
前記居室親機は、前記記録部に記録された画像のうち、確認すべき画像を選択できる再生操作部と、前記記録部に所定以上の撮像画像が記録された場合、前記再生操作部で選択された撮像画像から優先的に削除するよう制御する親機ＣＰＵを備えたことを特徴とする請求項１記載のインターホン装置。
【請求項３】
前記居室親機は、前記変化量算出部にて算出した結果、変化量の最も小さな撮像画像が複数あった場合には、撮像日時の古い撮像画像から削除するよう制御する親機ＣＰＵを備えたことを特徴とする請求項１又は２項記載のインターホン装置。
【発明の詳細な説明】
【技術分野】
【０００１】
本発明は、インターホン装置に係り、特に玄関子機で撮像した画像を録画するにあたり、録画メモリを効率よく使用することができるインターホン装置に関する。
【背景技術】
【０００２】
従来のインターホン装置は、来訪者が玄関子機で呼び出しをおこない、通話が成立しなかった場合には撮像された画像を録画していた。また、録画された画像は、所定時間経過すると記録部から削除されたり、記録部が一杯になると上書きされるなどして、最新の画像を録画できるようにしていた。これにより、留守から帰宅した場合には、来訪者の画像を確認して誰がきたかを把握することができるし、録画された画像がたまってしまった場合であっても、順次、古い画像から削除されるので最新の画像が録画されないという事態を防止することができる（例えば、特許文献１）。
【先行技術文献】
【特許文献】
【０００３】
【特許文献１】特開２００２−１１１８８３
【発明の開示】
【発明が解決しようとする課題】
【０００４】
しかしながら、従来のインターホン装置では、来訪者の画像が古いものから順番に削除されてしまうので、来訪者の画像を後日確認したい場合に確認できなくなる虞があった。また、長期間不在であった場合において、録画された画像を確認する前に上書きされてしまい、確認できない可能性もあり不便であった。
【０００５】
本発明は、この難点を解決するためになされたもので、記録部が一杯の状態となったときには、背景画像との差分を算出して、不要と判断された画像から削除することにより、当該記録部を有効的に活用することで従来に比べて多くの来訪者画像を保存することが可能なインターホン装置を提供する。
【課題を解決するための手段】
【０００６】
上記課題を解決するために、請求項１に記載の発明は、来訪者及び玄関周辺の画像を撮像する子機カメラ及び通話をおこなう子機音響部を有する玄関子機と、玄関子機からの画像を出力するモニタ及び子機音響部と通話をおこなう親機音響部を有した居室親機とで構成されるインターホン装置において、居室親機は、子機カメラで撮像された画像を記録する記録部と、撮像画像と予め記録されている背景画像との変化量を撮像画像に付す変化量算出部と、所定以上の撮像画像が記録された場合、変化量算出部にて変化量が最も小さいと算出された撮像画像を削除するよう制御する親機ＣＰＵを備えたことを特徴とする。
この構成によれば、録画メモリの容量が一杯となった場合に、背景画像と比較して変化の最も少ない画像から削除することができるため、重要と思われる画像を残すことができる。
請求項２に記載の発明は、請求項１において、居室親機は、記録部に記録された画像のうち、確認すべき画像を選択できる再生操作部と、記録部に所定以上の撮像画像が記録された場合、再生操作部で選択された撮像画像から優先的に削除するよう制御する親機ＣＰＵを備えたことを特徴とする。
この構成によれば、変化量情報が最も小さい録画画像であって、且つ、居住者が既に確認した録画画像から削除されていくので、万一、録画画像に人物が映っていたとしても確認する前に削除されることがなくなる。
請求項３に記載の発明は、請求項１又は２に記載の構成において、居室親機は、変化量算出部にて算出した結果、変化量の最も小さな撮像画像が複数あった場合には、撮像日時の古い撮像画像から削除するよう制御する親機ＣＰＵを備えたことを特徴とする。
この構成によれば、録画メモリが一杯となり、背景画像と比較して変化の最も少ない画像が複数ある場合には、撮像日時の古い画像から削除することができるので重要度の低いものから削除可能となる。
【発明の効果】
【０００７】
本発明によれば、録画のメモリが一杯になったときでも、重要と思われる録画画像を残し、特に来訪者が映っていないと想定される画像から自動的に順次削除することができるので、居住者による削除作業が不要となり、使い勝手が向上する。
【図面の簡単な説明】
【０００８】
【図１】本発明に係るインターホン装置のブロック図である。
【発明を実施するための形態】
【０００９】
以下、本発明によるインターホン装置を適用した好ましい形態の実施例について、図１を参照して説明する。
図１に示すとおり、インターホン装置は玄関に設置された玄関子機１と、玄関子機１に接続された居室親機２とから構成されている。
ここで、玄関子機１は、来訪者及び玄関周辺の画像を撮像するカメラ１０１と、居室親機２を呼び出すための呼出操作部１０２と、居室親機２と通話するための子機音響部１０３と、居室親機２と通信をおこなうための子機Ｉ／Ｆ１０４とを備えている。
【００１０】
また、居室親機２は玄関子機１の子機カメラ１０１で撮像された画像を出画するためのモニタ２０１と、玄関子機１の呼出操作部１０２が押下されたときに応答するための通話操作部２０２と、子機カメラ１０１で撮像した画像を録画するための録画操作部２０３と、録画した画像を再生するための再生操作部２０４と、玄関子機１と通話するための親機音響部２０５と、予め記録された背景画像と子機カメラ１０１で撮像した画像を比較して変化量を算出する変化量算出部２０６と、子機カメラ１０１で撮像した画像に変化量を付加して記録する記録部２０７と、居室親機２の各部を制御する親機ＣＰＵ２０８と、玄関子機１と通信をおこなうための親機Ｉ／Ｆ２０９とを備えている。
【００１１】
このようなインターホン装置において、以下、動作を説明する。
来訪者が居住者を呼び出すために玄関子機１の呼出操作部１０２を押下すると、呼出信号が子機Ｉ／Ｆ１０４を介して居室親機２に送信される。居室親機２では、親機Ｉ／Ｆ２０９を介して親機ＣＰＵ２０８で受信され、この呼出信号に基づいて親機音響部２０５から呼出音を鳴動させる。
また、これと同時に玄関子機１の子機カメラ１０１でた来訪者及びその周辺の画像が撮像され、画像信号が子機Ｉ／Ｆ１０４を介して居室親機２に送信される。居室親機２では、前述の呼出信号に基づきモニタ２０１を駆動して親機Ｉ／Ｆ２０９を介して送信された画像信号をもとに画像が出画される。
【００１２】
この呼出音及び画像を確認した居住者は、居室親機２の通話操作部２０２を操作する。これにより、居室親機２の親機ＣＰＵ２０８が玄関子機１と居室親機２間で通話可能となるように制御し、来訪者と居住者は、玄関子機１の子機音響部１０３、居室親機２の親機音響部２０５間で通話をおこなうことができる。
さらに、居住者は、通話中に居室親機２の録画操作部２０３を操作すると録画を開始し、その画像を記録部２０７に録画することができる。なお、録画は手動であってもよいが、自動的に録画されてもよい。また、通話中でなくても、モニタ中（玄関の様子を見るために使用される）であっても録画することもできる。
さらに、居住者が留守にするにあたって、留守設定をおこなった場合のみ録画するように制御してもよい。
【００１３】
このようにして録画された画像は、待受け状態において、居住者が居室親機２の再生操作部２０４を操作することで、録画された画像を再生することができる。
次に、録画された画像を削除する場合について説明する。
記録部２０７には、録画された画像が順次保存される。記録部２０７は容量に限界があるため、不要な画像は居室親機２の操作により削除することができる。また、次のようにして不要と算出された画像を削除する。
居室親機２は、記録部２０７が一杯になったとき、変化量算出部２０６において、予め記憶された背景画像と玄関子機１からの画像とを比較し、変化量を算出し、変化量の一番小さな画像は親機ＣＰＵ２０８の制御により人物が映っていないと判断して、削除することができる。
【００１４】
具体的には、玄関子機１で撮像された画像は、居室親機２のモニタ２０１に出画されるが、同時にその画像信号が変化量算出部２０６に送信される。変化量算出部２０６では、予め記憶されている背景画像と玄関子機１で撮像された画像との比較をして変化量を算出する（変化量は大きな値になればなるほど背景画像との差分が大きくなる）。そして、記録部２０７に変化量情報を付加した画像信号が記録される。
【００１５】
このような状態において、記録部２０７が一杯の状態になると親機ＣＰＵ２０８の制御により、変化量情報が最も小さい録画画像を削除する制御をおこなう。変化量の最も小さな画像は背景画像に近い画像であり、削除しても影響の少ない画像ということができる。これにより、記憶部２０７に空ができるので次画像を録画することができるようになる。
なお、上記実施例では変化量情報が最も小さい録画画像を削除したが、小さいものから順次、所定の空容量を確保できるまで削除するよう制御してもよい。
【００１６】
また、居室親機２は、再生操作部２０４の操作により、記録部２０７に記録された撮像画像を選択して確認することができる。親機ＣＰＵ２０８は、記録部２０７が一杯になったとき、変化量情報が最も小さい録画画像を削除するが、再生操作部２０４で既に確認された画像から優先的に画像を削除する制御をおこなうことができる。これにより、変化量情報が最も小さい録画画像であって、且つ、居住者が既に確認した録画画像から削除されていくので、万一、録画画像に人物が映っていたとしても確認する前に削除されることがなくなる。
また、変化量算出部２０６で算出した結果、削除対象である撮像画像が複数あった場合には、撮像画像に記録された撮像日及び撮像時間を参照し、古い画像から順次削除することも可能である。これにより、最近撮像した画像を残すことができるので、より重要度の低い画像から削除することができる。
【符号の説明】
【００１７】
１・・・                                   玄関子機
１０１・・・                          子機カメラ
１０３・・・                          子機音響部
２・・・                                   居室親機
２０１・・・                          モニタ
２０５・・・                          親機音響部
２０６・・・                          変化量算出部
２０７・・・                          記録部
２０８・・・                          親機ＣＰＵ
【図１】
2011014950.tif 000003